(57)【要約】【課題】  従来、ペットリボンを取り付けるには、ペットの毛を束ねて紙を巻き、それにペットリボンに付いている輪ゴムをかけて取り付けていた。しかし、これには指先での細かな作業を必要とし、直ぐに動いてしまうペットに取り付けるには、相当な熟練を要する。一般の人は、ペットのトリマー等の専門家に取り付けてもらうことが多かった。【解決手段】  片面に２つの突起４を植立し、両側の短辺に複数個の凹部３を設けた第１の半体２と、前記突起４と係合する嵌合穴６が設けられた第２の半体５とから、ペットリボン取付具１を構成する。その第１の半体２に、先ずペットリボン１０を取付けてしまう。その際、ペットリボンの輪ゴムを引っ掛けるのに凹部３を利用する。次に２つの突起４間にペットの毛を当てがった状態で、突起４と係合穴６とを係合して第２の半体５を第１の半体２に合体する。【選択図】        図１
0003105805.tif 000002
【実用新案登録請求の範囲】
【請求項１】
ほぼ長方形の板状をし、両側の短辺にペットリボンの輪ゴムを係合し得る凹部が複数個設けられると共に、片面に間隔を置いて棒状の突起が植立されている第１の半体と、
ほぼ長方形の板状をし、該第１の半体と面を合わせるように合体しようとする場合に前記突起と対応する位置に、前記突起と連結係合し得る係合穴が設けられている第２の半体とから構成されることを特徴とするペットリボン取付具。
【請求項２】
ほぼ長方形の板状をし、両側の短辺にペットリボンの輪ゴムを係合し得る凹部が複数個設けられると共に、片面に間隔を置いて棒状の突起が植立されている第１の半体と、
ほぼ長方形の板状をし、該第１の半体と面を合わせるように合体しようとする場合に前記突起と対応する位置に、前記突起と連結係合し得る係合穴が設けられている第２の半体と、
前記第１の半体と前記第２の半体の対応する一方の短辺同士を連結するヒンジ部と
から構成されることを特徴とするペットリボン取付具。
【考案の詳細な説明】
【技術分野】
【０００１】
本考案は、ペットリボンをペットの毛に取り付けるためのペットリボン取付具に関するものである。
【背景技術】
【０００２】
社会が豊かになったり、核家族化が進行したりというような社会状況の変化に伴い、ペットを飼う人が次第に増加して来ている。中にはペットと言うより、家族の一員と同様だの心情，愛情を抱いている人達も少なくない。そのようなこともあってか、ペットに各種のアクセサリを施してやることが行われている。ペットリボンもそのようなものの１つであり、毛が長い種類の犬や猫等に取り付けられる。
【０００３】
図７は、ペットリボンの１例を示す図である。図７において、１０はペットリボン、１１はペットリボン本体、１２は取付用輪ゴムである。ペットリボン本体１１は、カラフルな布やプラスチック等の素材を用いて、装飾的な外観を呈するように構成されている。取付用輪ゴム１２は、ペットリボン本体１１の下面に固着されている輪ゴムである。これを用いてペットの毛に取り付ける。
【０００４】
図８は、ペットリボンを従来の方法でペットの毛に取付けた状態を示す図である。符号は図７のものに対応し、１３は紙、１４はペットの毛である。従来は、次のようなやり方で取り付けていた。
（１）先ず、適当量のペットの毛１４の先端部分を束ねる。
（２）束ねた先端部分を包み込むように紙１３を巻く。
（３）巻いた紙１３の上に、ペットリボン１０の取付用輪ゴム１２をかける（輪ゴムは        必要に応じて２重，３重にする）。
そのようにして取付けた状態を示すのが、図８である。
【考案の開示】
【考案が解決しようとする課題】
【０００５】
前記のようなやり方でやれば、確かに取り付けれることは取り付けれるが、一般の人にとってこの取付作業は容易なことではなく、なかなか取り付けることが出来ないという問題点があった。
その理由は、次の通りである。ペットリボン１０は、ペットの頭部等に取り付けて可愛らしく見えるようにしようというものであるから、一般にそれほど大きなものではなく（２〜３ｃｍ程度のものもある）、自ずと取付用輪ゴム１２も小さいものである。取付用輪ゴム１２を取り付けるために毛を束ねて紙１３を巻きつけるには、暫くの時間がかかるわけであるが、その間、ペットはおとなしくじっとしていてくれるとは限らない。首尾よく紙を巻くところまで行っても、次にはその上に小さな取付用輪ゴム１２をかけなければならない。その間に、ペットが頭を振ったりすると毛が手から離れ、また初めからやり直しということになる。
【０００６】
そのようなことで、この取付け作業をこなすには相当の熟練を要し、ペットを飼っている人の多くは、ペット店に行ってトリマー（ペットの爪を切ったり、ペットのヘアーカットをしたりする人）等の専門家に取り付けてもらっているのが実情である。
また、取り付けた後は、毛を紙で巻いたままになっているので、「毛絡み」（毛が互いに絡み合うという状態）が生じ易いという問題点もある。毛絡みが生じると、櫛で毛をとかそうとしても、なかなかとくことが出来なくなる。
本考案は、以上のような問題点を解決することを課題とするものであり、一般の人でも容易にペットリボン１０をペットに取り付けることを可能にする、ペットリボン取付具を提供することを目的とするものである。
【課題を解決するための手段】
【０００７】
前記課題を解決するため、本考案では、ほぼ長方形の板状をし、両側の短辺にペットリボンの輪ゴムを係合し得る凹部が複数個設けられると共に、片面に間隔を置いて棒状の突起が植立されている第１の半体と、ほぼ長方形の板状をし、該第１の半体と面を合わせるように合体しようとする場合に前記突起と対応する位置に、前記突起と連結係合し得る係合穴が設けられている第２の半体とから構成されることを特徴とするペットリボン取付具を提供することとした。
なお、前記第１の半体と第２の半体との対応する短辺同士を、ヒンジ部で連結するようにしてもよい。
【考案の効果】
【０００８】
本考案のペットリボン取付具によれば、トリマーのようなペットの専門家でなく、一般の人であっても、ペットリボンをペットの毛に容易に取り付けたり外したりすることが出来るようになる。
また、取付けた後、ペットの毛を紙で巻いたままにしておくわけではないので、毛絡みを生じることがない。
【考案を実施するための最良の形態】
【０００９】
以下、本考案の実施形態を図面に基づいて詳細に説明する。
図１は、本考案のペットリボン取付具の分解斜視図である。図１において、１はペットリボン取付具、２は第１の半体、３は凹部、４は突起、５は第２の半体、６は係合穴である。
第１の半体２は、ほぼ長方形の板状をしており、材料としてはプラスチックを用いることが出来る。第１の半体２の両側の短辺には、凹部３が設けられる。この凹部３は、図７で示したペットリボン１０の取付用輪ゴム１２を取り付けるためのものである。第１の半体２の平面のうち、一方の面（図１では下面）には、２個の棒状の突起４が植立される。この突起４は、次に述べる第２の半体５と、着脱自在に連結するためのものであり、その位置は、平面の幅方向の略中央であって且つ両側の短辺に近い位置とするのが望ましい。なお、突起４は、プラスチック成形により第１の半体２と一体に作られる。
【００１０】
第２の半体５もほぼ長方形の板状をしており、材料としてはやはりプラスチックを用いることが出来る。第２の半体５には、第１の半体２と面が対向するように合体しようとする際、それぞれの突起４と対応する位置に、係合穴６がそれぞれ設けられる。第１の半体２を矢印のように移動して第２の半体５と合体する場合、突起４が係合穴６に挿入される。突起４の先端は、棒状幹部よりも少し膨らんだ形状にし、係合穴６の内面と摩擦するようにしておく。その理由は、合体した両者が一寸の力では容易には離れないが、強い力で離そうとすると離れるようにするためである。これにより、第１の半体２と第２の半体５とは、着脱自在とすることが出来る。
図２は、そのようにして合体した状態の、本考案のペットリボン取付具１を示している。係合穴６からは、突起４の先端がのぞいている。
【００１１】
図３は、第１の半体２にペットリボン１０を取り付けることを示す図であり、符号は図１，図７のものに対応している。ペットリボン取付具１は、どのようにして使うかというと、現在市販されているペットリボン１０（取付用輪ゴム１２を具えたもの）を、第１の半体２に取り付けて使う。第１の半体２への取付けは、第１の半体２の両側短辺に設けられている凹部３に、取付用輪ゴム１２を引っ掛けることによって行う。取付用輪ゴム１２の引っ掛け方は任意でよいが、対角線の位置にある凹部３間に引っ掛けるようにして取り付けると外れにくい。
図４は、そのようにして第１の半体２にペットリボン１０を取り付けた状態を示している。
【００１２】
図５は、本考案のペットリボン取付具を用いてペットの毛にペットリボンを取付ける状況を示す図である。符号は図１，図４のものに対応し、１４はペットの毛である。
ペットの毛１４にペットリボン１０を取り付ける際は、次のようにする。
（１）ペットリボン１０を取付けた第１の半体２の突起４同士の間に、ペットの
毛１４を当てがう
（２）そうした状態で、第２の半体５を第１の半体２と合体する。
【００１３】
このように、２つの突起４の間にペットの毛１４を当てがって、すぐに第２の半体５をパチンと嵌めるという、単純な作業（紙を巻き付けたり、小さな輪ゴムをかけたりするという従来の作業に比べて極めて単純）で取付けが完了するので、一般の人でも容易に取り付けることが出来る。
図６は、そのようにしてペットの毛１４にペットリボンを取付けた状態を示す図である。
ペットリボン取付具１は、ペットの毛１４を板状の半体で上下からがっちりと挟んで合体しているから、ペットリボン１０は外れることがない。なお、ペットリボン１０を外す時は、第２の半体５に力を加えて引き離せば、突起４と係合穴６との結合が解けて、外すことが出来る。そして、ペットリボン１０を取付けた後、ペットの毛１４に紙を巻いたままにしておくわけではないので、毛絡みを生ずることもない。
【００１４】
図９は、本考案のペットリボン取付具の他の例を示す図である。符号は図１のものに対応し、７はヒンジ部である。図１のものと相違する点は、第１の半体２と第２の半体５の対応する短辺同士の間にヒンジ部７を設け、これによって両者が連結されるようにした点である。ヒンジ部７であるから自由に屈曲し、第１の半体２と第２の半体５との着脱は、図１のものと同様、自在に行うことが出来る。
このような構造にしておく利点としては、次のようなものがある。まず、第１の半体２と第２の半体５とが常に連結されているので、一方だけがどこかへ紛失してしまうことがない。また、取付け作業を行う際、第１の半体２を指で摘んでいれば、第２の半体５もすぐ近くに位置してくれるから、別の指で第２の半体５を摘んで持って来る必要はない。更に、一方の短辺同士がきちんと対向するようにヒンジ部７を設けるので、突起４を係合穴６に挿入する際、狙いが付けやすい（つまり位置決めが容易）。
【図面の簡単な説明】
【００１５】
【図１】本考案のペットリボン取付具の分解斜視図
【図２】本考案のペットリボン取付具の合体斜視図
【図３】第１の半体にペットリボンを取り付けることを示す図
【図４】第１の半体にペットリボンを取り付けた状態を示す図
【図５】本考案のペットリボン取付具を用いてペットの毛にペットリボンを取付ける状況を示す図
【図６】本考案のペットリボン取付具を用いてペットの毛にペットリボンを取付けた状態を示す図
【図７】ペットリボンの１例を示す図
【図８】ペットリボンを従来の方法でペットの毛に取付けた状態を示す図
【図９】本考案のペットリボン取付具の他の例を示す図
【符号の説明】
【００１６】
１…ペットリボン取付具、２…第１の半体、３…凹部、４…突起、５…第２の半体、６…係合穴、７…ヒンジ部、１０…ペットリボン、１１…ペットリボン本体、１２…取付用輪ゴム、１３…紙、１４…ペットの毛
【図１】
0003105805.tif 000003
【図２】
0003105805.tif 000004
【図３】
0003105805.tif 000005
【図４】
0003105805.tif 000006
【図５】
0003105805.tif 000007
【図６】
0003105805.tif 000008
【図７】
0003105805.tif 000009
【図８】
0003105805.tif 000010
【図９】
0003105805.tif 000011